(57)【要約】【課題】  本発明は、煙草の煙及び吸殻を自動的に吸引することができるバカラゲーム用テーブルを提供する。【解決手段】  本発明のバカラゲーム用テーブルは、周縁部に複数の吸引口２が形成された天板３と、天板３の底部に設置され、各吸引口２の下部に連通する吸引管４とを有し、吸引管４に吸引装置６を取り付けて、煙草の煙及び吸殻を吸引口２から吸引管４を介して吸引する。天板３の吸引口２は、ゲームに参加する複数のユーザが着席する位置の近傍にそれぞれ形成されていてもよい。【選択図】  図１
2006212105.tif 000002
【特許請求の範囲】
【請求項１】
周縁部に複数の吸引口が形成された天板と、
前記天板の底部に設置され、前記各吸引口の下部に連通する吸引管とを有し、
前記吸引管に吸引装置を取り付けて、煙草の煙及び吸殻を前記吸引口から吸引管を介して吸引する、
ことを特徴とするバカラゲーム用テーブル。
【請求項２】
前記天板の吸引口は、ゲームに参加する複数のユーザが着席する位置の近傍にそれぞれ形成されていることを特徴とする請求項１に記載のバカラゲーム用テーブル。
【発明の詳細な説明】
【技術分野】
【０００１】
本発明は、バカラゲーム用テーブルに関し、特に、煙草の煙及び吸殻を吸引する機能を備えたバカラゲーム用テーブルに関する。
【背景技術】
【０００２】
図３は、従来のバカラゲーム用テーブルを示す平面図である。図３に示すように、従来のバカラゲーム用テーブルは、長円形状又は楕円形状の天板５０を有し、天板５０の中央大部分の領域は図柄表示部５０ａとなり、これを取り巻くその周囲は周縁部５０ｂとなっている。
【０００３】
図柄表示部５０ａの表面には、通常青色や緑色の羅紗が張られ、この羅紗にはゲームルールに従った様々な図柄が描かれている。
【０００４】
天板５０の周囲には、ディーラーが座るディーラー用イス５１と、ゲーム参加者であるユーザが座る複数のユーザ用イス５２が配置されている。バカラ用テーブル上において、ディーラーの前方には、バカラゲームに使用される一定量のトランプを収容するためのシュータ５３が配置されている。
【０００５】
喫煙者は、バカラゲーム用テーブルの周縁部５０ｂ上に置かれた灰皿５４を利用して煙草を吸っており、灰皿５４に吸殻が溜まると、ウェイトレス等の店員が別の灰皿に取り替えるサービスを行っていた（以下、従来例１という）。
【０００６】
また、特許文献１には、パチンコ遊技機や映像画面を使用した室内ゲーム機等に遊技者が吸った煙草の煙を吸引し煙の拡散を防止する機能を備えた煙吸引装置付遊技機が提案されている。この従来の煙吸引装置付遊戯機によれば、競技台下方内に配置した送風機からガラス前面に沿って吹き出された空気が競技台上方に配置した送風機によって吸引され、これによってガラス前面に流れの早い空気流を形成し、喫煙者の吐き出す煙や周囲に浮遊する煙等を巻き込み煙の拡散を防止している（以下、従来例２という）。
【０００７】
さらに、特許文献２には、タバコの灰の飛び散りがなく、天板が汚れにくい空気清浄機装置を備えたテーブルが提案されている。この従来のテーブルは、天板に吸引口を設け、この吸引口の下面側には集塵部および吸引ファンを備えた空気清浄装置を配備するとともに、吸引口に灰皿カバーを延設して構成されており、これによって、灰が吸引口に吸込まれる途中で、天板上に散らばることなく、喫煙者に不快感を感じさせることがない、としている（以下、従来例３という）。
【０００８】
【特許文献１】特開２００４−６５７２２号公報
【特許文献２】特開２００１−３４０１４０号公報
【発明の開示】
【発明が解決しようとする課題】
【０００９】
従来例１では、吸殻が溜まった灰皿がテーブル上に置かれるため、衛生上問題がある。
【００１０】
また、ウェイトレス等の店員が灰皿を取り替えていたため、人件費等のコストがかかるという問題がある。
【００１１】
また、バカラゲームを楽しむユーザの中には喫煙者と嫌煙者とが入り交じっているため、喫煙者の隣に嫌煙者が居たりすると、嫌煙者は煙草の煙をいやが上にも吸わざるを得ず極めて不愉快である。そのため、喫煙者は最近の嫌煙運動の高まりから嫌煙者に対して遠慮しながら煙草を吸わざるを得ない。
【００１２】
また、ディーラーにとっても煙草の煙がゲームの進行に支障を生じることもある。
【００１３】
さらに、喫煙を自由にして置くとゲーム室内全体に煙草の煙が充満し、室内環境面での問題が生じる。
【００１４】
従来例２では、煙草の煙の吸引方向が下から上の方向であり、バカラゲーム用テーブルの上部に煙吸引装置を設けることは実際には困難である。
【００１５】
従来例３では、天板の中央部に煙を吸引する吸引口を設けており、この構成では、テーブルの中央部でバカラゲームを行うことができないので、従来例３のテーブルをバカラゲーム用に適用することは実際には困難である。
【００１６】
本発明は、上記課題を解決するためになされたものであり、煙草の煙及び吸殻を自動的に吸引することができるバカラゲーム用テーブルを提供することを目的とする。
【課題を解決するための手段】
【００１７】
本発明のバカラゲーム用テーブルは、周縁部に複数の吸引口が形成された天板と、前記天板の底部に設置され、前記各吸引口の下部に連通する吸引管とを有し、前記吸引管に吸引装置を取り付けて、煙草の煙及び吸殻を前記吸引口から吸引管を介して吸引することを特徴とするものである。
【００１８】
前記天板の吸引口は、ゲームに参加する複数のユーザが着席する位置の近傍にそれぞれ形成されていてもよい。
【発明を実施するための最良の形態】
【００１９】
以下、本発明の実施の形態について図面を参照して説明する。図１（Ａ）は本発明の実施形態例に係るバカラゲーム用テーブルを示す平面図、（Ｂ）は（Ａ）のＩーＩ線断面図、図２は本発明の実施形態例に係るバカラゲーム用テーブルの底面図である。
【００２０】
図１（Ａ）、（Ｂ）及び図２に示すように、本発明の実施形態例に係るバカラゲーム用テーブル１は、その周縁部３ｂに複数の吸引口２が形成された天板３と、天板３の底部の周縁部３ｂに沿ってレール状に設置された吸引管４とを有する。
【００２１】
天板３は、長円形状又は楕円形状に形成され、天板３の中央大部分の領域は図柄表示部３ａとなり、これを取り巻くその周囲は周縁部３ｂとなっている。
【００２２】
図柄表示領域３ａの表面には、通常青色や緑色の羅紗が張られ、この羅紗にはゲームルールに従った様々な図柄が描かれている。
【００２３】
天板３の周囲には、ディーラーが座るディーラー用イス７と、ゲーム参加者であるユーザが座る複数のユーザ用イス８が配置されている。バカラ用テーブル１上において、ディーラーの前方には、バカラゲームに使用される一定量のトランプを収容するためのシュータ５が配置されている。
【００２４】
天板３の吸引口２は、ゲームに参加する複数のユーザが着席する位置の近傍（やや左側の位置）にそれぞれ形成されている。
【００２５】
各吸引口２の上部は、天板３の表面に開口しており、その下部は吸引管４の連通孔４ａを介して連通している（図１（Ｂ）参照）。
【００２６】
図２に示すように、吸引管４の端部には吸引装置６が取り付けられている。吸引装置６は、煙草の煙及び吸殻を吸引口２から吸引管４を介して吸引する。
【００２７】
本発明の実施形態例に係るバカラゲーム用テーブル１によれば、煙草の煙及び吸殻が自動的に吸引されるので、喫煙者は吸殻の溜まった灰皿をテーブル上に置く必要がなくなり、衛生的である。
【００２８】
また、ウェイトレス等の店員が灰皿を取り替えるサービスが不要になり、人件費等のコストダウンを図ることができる。
【００２９】
また、バカラゲームを楽しむユーザの中に喫煙者と嫌煙者とが入り交じっていても、煙が吸引口２から吸引されるので、嫌煙者が不愉快に感じることもなくなる。
【００３０】
また、ディーラーが、煙草の煙によって、ゲームの進行に支障を生じることもなくなる。
【００３１】
さらに、ゲーム室内全体に煙草の煙が充満することもなくなり、良好な室内環境が得られる。
【００３２】
本発明は、上記実施の形態に限定されることはなく、特許請求の範囲に記載された技術的事項の範囲内において、種々の変更が可能である。
【図面の簡単な説明】
【００３３】
【図１】（Ａ）は本発明の実施形態例に係るバカラゲーム用テーブルを示す平面図、（Ｂ）は（Ａ）のＩーＩ線断面図である。
【００３４】
【図２】本発明の実施形態例に係るバカラゲーム用テーブルの底面図である。
【００３５】
【図３】従来のバカラゲーム用テーブルを示す平面図である。
【符号の説明】
【００３６】
１：バカラゲーム用テーブル
２：吸引口
３：天板
４：吸引管
５：シュータ
６：吸引装置
７：ディーラー用イス
８：ユーザ用イス
【図１】
2006212105.tif 000003
【図２】
2006212105.tif 000004
【図３】
2006212105.tif 000005